(57)【要約】【課題】冊子が解体しにくく、開き性が良い冊子を提供する。【解決手段】冊子１は、複数枚の用紙２を重ね合わせそれらの一端部を綴じた冊子１であって、各用紙２には、各用紙２を開くための折り目１５を有し、前記各用紙２の折り目１５はその用紙２の直前頁の折り目１５よりも小口側に形成されている。【選択図】図１
2011183719.tif 000002
【特許請求の範囲】
【請求項１】
複数枚の用紙を重ね合わせそれらの一端部を綴じた冊子であって、
各用紙には、各用紙を開くための折り目を有し、
前記各用紙の折り目はその用紙の直前頁の折り目よりも小口側に形成されていることを特徴とする冊子。
【請求項２】
前記折り目は、ハーフカット、ミシン目、又はパンチにて形成されていることを特徴とする請求項１に記載の冊子。
【請求項３】
前記冊子は、無線綴り又は平綴じによって製本されていることを特徴とする請求項１、又は２に記載の冊子。
【発明の詳細な説明】
【技術分野】
【０００１】
本発明は、写真等の用紙を所望の枚数重ね合わせて一端部を綴じた冊子に関する。
【背景技術】
【０００２】
近年、デジタル印刷機の普及により、複数の写真紙の一端部を綴じて製本した一般的にフォトブックと称される冊子が多く存在する。このような冊子は、例えば、銀塩、昇華転写又はインクジェットにより印刷された複数の印刷紙からなる印刷束の一端部を貼り合わせたり、穴を空けてリングで留めたり、ホチキスなどにより中綴じ、又は平綴じ等したり、印刷束の背部を接着剤のみで接合する無線綴りなどによって製本される。
【０００３】
このような無線綴りや平綴じされた冊子は、昇華転写紙のように厚くコシの強い用紙では、中央の頁を開く際にその前後の用紙を開く保持力が必要となるほか、のどの開きが悪い、冊子を開く際に解体しやすい、などの問題がある。
【０００４】
一方、開きを安定させた冊子として、本紙に折曲部を設け、その折曲部の位置を断面視山形状に配置した冊子が知られている（例えば、特許文献１参照）。
【先行技術文献】
【特許文献】
【０００５】
【特許文献１】特開２００２−８６９５４号公報
【発明の概要】
【発明が解決しようとする課題】
【０００６】
特許文献１の冊子は、中間の頁は開きやすいものの、表表紙または裏表紙近傍では、頁を開く際に中央の折曲部が開きを阻害するため、冊子が開きにくいなどの問題がある。
【０００７】
本発明は、このような問題の解消を一つの課題とし、その目的の一例は、冊子が解体しにくく、開き性が良い冊子を提供するものである。
【課題を解決するための手段】
【０００８】
上記課題を解決するため、本発明は次のような構成を採用する。なお、本発明の理解を容易にするため図面の参照符号を括弧書きで付するが、本発明はこれに限定されるものではない。
【０００９】
請求項１に記載の冊子は、複数枚の用紙を重ね合わせそれらの一端部を綴じた冊子であって、各用紙には、各用紙を開くための折り目を有し、前記各用紙の折り目はその用紙の直前頁の折り目よりも小口側に形成されていることを特徴とする。
【００１０】
また、請求項２に記載の冊子は、請求項１に記載の冊子において、前記折り目は、ハーフカット、ミシン目、又はパンチにて形成されていることを特徴とする。
【００１１】
また、請求項３に記載の冊子は、請求項１、又は２に記載の冊子において、前記冊子は、無線綴り又は平綴じによって製本されていることを特徴とする。
【発明の効果】
【００１２】
本発明によれば、冊子を解体しにくくし、且つ開き性の良い冊子とすることができる。
【図面の簡単な説明】
【００１３】
【図１】本発明の冊子を閉じた状態の斜視図である。
【図２】本発明の冊子を開いた状態の斜視図である。
【図３】折り目の施工例を説明するための図であり、図３（ａ）はミシン目、図３（ｂ）はパンチ目、図３（ｃ）はハーフカットを示す。
【発明を実施するための形態】
【００１４】
以下、図面を参照して本発明を実施するための形態について説明する。なお、理解しやすいように、図１の冊子１において、用紙２をめくる側を小口と称し、用紙２が綴じられた側を背と称する。
【００１５】
本実施形態の冊子１は、図１に示すように、複数枚の用紙２が重ね合わされた用紙束３と、この用紙束３の最表面側と最裏面側とを覆う表紙４と、を備えている。
【００１６】
表紙４は、表表紙５ａと裏表紙５ｂで構成される表紙部５と、この表表紙５ａと裏表紙５ｂとの間において当該表表紙５ａと裏表紙５ｂとを折り曲げ可能に連結する背表紙６ａで構成される背部６と、を有している。また、表紙４の表面には、必要に応じて所望の画像が印刷される。
【００１７】
この冊子１は、用紙束３の背と表紙４の背部６との間を接着剤９で接着することにより製本される。また、この接着剤９は、両面粘着テープが好適に用いられるが、液状糊等を用いることも可能である。また、当該接着剤９は熱により溶融する性質を有するホットメルト等の接着剤であっても構わない。なお、ホットメルト等の接着剤を用いる場合には、接着剤に熱を与える熱源が必要となる。
【００１８】
本実施形態の冊子１は、図１及び図２に示すように、各用紙２に折り目１５が形成されており、当該各用紙２はこの折り目１５を境にして折り曲げられて開かれる。
【００１９】
この折り目１５は、用紙２の上下端部を結ぶ罫線によって形成される。当該罫線は、予め用紙２を折り曲げることによって形成される折り曲げ跡であってもよいが、好適な施工例としては、図３に示すような、ミシン目１５ａ、パンチ孔１５ｂ、ハーフカット１５ｃ等によって形成される。
【００２０】
ミシン目１５ａとは、用紙２の折り目１５となるべき箇所を示す線（以下、「折り目線２０（図２参照）」と称する。）に沿って針を点線状に突き刺したように施工されたものであり、例えば、外周に所定の間隔を有して先鋭状の突起を備えた円形状のカッターを用いて形成される。また、パンチ孔１５ｂとは、用紙２の折り目線２０に沿って矩形状若しくは孔状に紙が打ち抜かれて施工されたものである。また、ハーフカット１５ｃとは、用紙２の折り目線２０に沿ってその用紙２の裏面に用紙２が切断されないようにして所定の深さだけ切り込みが形成されたものである。
【００２１】
この折り目１５は、用紙２の開閉操作によって簡単に切断されないように考慮する必要があり、その間隔や大きさ、切り込み量が用紙２の種類に応じて適宜設定される。
【００２２】
また、当該折り目１５は、図１に示すように、冊子１の底面（断面）視において、表表紙５ａから裏表紙５ｂに向かって斜め上方（小口側）に上昇するように形成される。すなわち、この折り目１５は、数字の小さい頁から順に、用紙２の背から小口側に向かってスライドさせて形成され、各用紙２の後頁の折り目１５が前頁の折り目１５よりも小口側に配置されるように形成されている。
【００２３】
このように構成された本実施形態の冊子１は、各用紙２の全てが次頁の折り目よりも背側で折り返されるため、開くべき頁の用紙が綴じ部へもたらす引張り力やせん断力は、折り目１５により緩和される。よって、冊子１の解体を防ぐとともに、開きやすくなる。また、本実施形態の冊子１は、折り目１５が頁順に小口側へとスライドされて形成されているため、すべての頁にわたって開き性が良く、容易に最終頁までめくることが可能である。
【００２４】
次に、上記構成の冊子１の製本方法について説明する。なお、以下に説明する冊子１の製本方法は、無線綴り形式の冊子を製本する製本方法について説明するが、他の形式（例えば、平綴じ）の冊子１を製本する場合も用紙同士又は表紙と用紙同士の接合方法が異なるだけでその方法は同様の方法で製本することが可能である。
【００２５】
（１）まず、両面印刷可能なプリンターを用いて出力した１冊分の用紙２及び表紙４が用意される。例えば、用紙２に対してはその内面に所望の画像がプリントされ、表紙４に対してはその外面に所望の画像がプリントされる。
【００２６】
（２）次に、各用紙２に折り目１５を形成する。この折り目１５は、上述したように、用紙２の頁順に、所定の間隔で小口側にスライドさせて形成される。
【００２７】
（３）次に、折り目１５が形成された複数の用紙２をその頁順に重ね合わせ用紙束３を作り、その用紙束３をくるむようにして表紙４を配置した上で、表紙４の背部６と用紙束３の背を接着剤９により接合し、冊子１が製本される。
【００２８】
以上に説明したような冊子１の製本方法によれば、折り目１５が頁順に小口側へとスライドされて形成されているため、開き性の良い冊子１を製本することができる。
【００２９】
次に、本実施形態の冊子１においてその用紙２をめくる際の操作について説明する。
【００３０】
まず、図１に示すように、冊子１を閉じた状態で、表紙４の表表紙の表面が上側となるようにして図示しない机の天板面上に置いて表紙をめくった場合、折り目１５は最初の頁の用紙２の表面側に表出し、この折り目１５に沿って最初の頁の用紙２を折畳むことにより、次頁の用紙２の折り目１５が表出する（図２参照）。すなわち、次頁の折り目１５は前頁の折り目１５よりも小口側にスライドして形成されているため、前頁をめくることで次頁の折り目１５が必ず表出することとなる。よって、次頁の折り目１５の開き操作の際に前頁の折り目１５がその操作を防止することなく、最終頁までめくることが可能である。
【００３１】
なお、本発明は上記実施の形態に限定されるものではなく、本発明の要旨の範囲内において種々変更可能である。例えば、本実施形態の冊子１は、絵本、カタログ、アルバム等とすることもできる。また、接着剤の代わりに、略Ｕ字上の鋼板を用紙束の背部、又は用紙束の表面に表紙を取り付けた状態でその背部に取り付けてカシメて冊子を製本することも可能である。また、本実施形態の冊子１は、複数の用紙２を重ね合わせて形成した用紙束を表紙４で覆う形態としているが、用紙２と表紙４を、正面視略同一の形状としてその背を接着剤や略Ｕ字状の鋼板で綴じるような形態としても構わない。このような場合には、好ましくは、表紙４が用紙２よりも若干大きく形成される。また、冊子１に用いられる用紙２は、厚みがってコシのある昇華転写紙（写真紙）の場合に、特に有効である。
【符号の説明】
【００３２】
２  本文
４  表紙
１５  折り目
【図１】
2011183719.tif 000003
【図２】
2011183719.tif 000004
【図３】
2011183719.tif 000005